(57)【特許請求の範囲】
【請求項１】
前面板および背面板を有するプラズマディスプレイパネルと、前記プラズマディスプレイパネルの背面板に接着部材を介して接着した金属支持板と、前記金属支持板に取り付けられ前記プラズマディスプレイパネルを駆動するための回路基板とを有するプラズマディスプレイ装置の解体方法であって、前記金属支持板に取り付けた前記回路基板に送風しながら、前記プラズマディスプレイパネルを構成する前記前面板側から赤外線を照射することにより、前記プラズマディスプレイパネルと前記金属支持板との間の前記接着部材を加熱して接着力を低下させ、その後、前記プラズマディスプレイパネルと前記金属支持板とを分離するプラズマディスプレイ装置の解体方法。
【請求項２】
前記金属支持板に取り付けた前記回路基板に送風しながら、前記プラズマディスプレイパネルを構成する前面板側から前記赤外線を照射することにより、前記プラズマディスプレイパネルと前記金属支持板との間の前記接着部材を加熱する際に、前記プラズマディスプレイパネルの周囲を換気する
請求項１に記載のプラズマディスプレイ装置の解体方法。
【発明の詳細な説明】
【技術分野】
【０００１】
本発明は、プラズマディスプレイ装置の解体方法に関する。
【背景技術】
【０００２】
近年、薄型・大型化に適した画像表示装置としてプラズマディスプレイパネル（以下ＰＤＰという）を用いたプラズマディスプレイ装置が量産され、急速に普及している。
【０００３】
プラズマディスプレイ装置の表示部にはＰＤＰが装着されている。ＰＤＰは、ガラス基板上に表示電極、誘電体層、保護層などが形成された前面板と、ガラス基板上にアドレス電極、隔壁、蛍光体層などが形成された背面板とから構成されている。前面板と背面板とは両基板の間に微小な放電空間が形成されるように対向配置され、両基板の周縁部はフリットガラスにより封着されている。放電空間にはネオンガス（Ｎｅ）およびキセノンガス（Ｘｅ）などの不活性ガスを混合して形成した放電ガスが封入されている。
【０００４】
ＰＤＰの背面板の裏面には、例えば熱伝導シートなどの粘着性のある接合部材を介してシャーシ部材である金属支持板が貼り付けられている。金属支持板は、シャーシ部材としての機能と、放熱板としての機能を有する。ＰＤＰを駆動するための回路基板を取り付けるためにシャーシ部材が用いられており、ＰＤＰの駆動により発生した熱を効率的に放熱するために放熱板が用いられている。さらに、プラズマディスプレイ装置にはＰＤＰや回路基板を保護するための前面枠やバックカバーが装着されている。
【０００５】
ところで近年のプラズマディスプレイ装置の急速な普及に伴い、使用済みとなった廃棄プラズマディスプレイ装置の台数が急速に増加している。また、プラズマディスプレイ装置の生産量の増大に伴い、製造工程におけるＰＤＰユニットの不良品の絶対数も増加している。そこで、環境問題および省資源の観点から、使用済みとなった廃棄プラズマディスプレイ装置や製造工程で発生した不良品のＰＤＰユニットを解体して、部材の再利用や原材料として再生する技術を開発し、導入していくことが重要になってきている。
【０００６】
プラズマディスプレイ装置を再利用できる形態に解体するためには、ＰＤＰと金属支持板と回路基板とを分離することが必要となる。そこで、従来からＰＤＰユニットを分離する方法がいろいろ提案されている。例えば、ＰＤＰの表面をホットプレートで加熱することにより、ＰＤＰと金属支持板とを接着している接着部材の接着力を低下させ、ＰＤＰと金属支持板とを接着部材から剥離する方法が提案されている（例えば、特許文献１を参照）。
【０００７】
プラズマディスプレイ装置を再利用できる形態に解体するためには、プラズマディスプレイ装置は解体工場へ収集される。しかし、プラズマディスプレイ装置の解体処理数の増加に対して、解体工場の数はほとんど変化していないために、１工場あたりの解体処理数が増加している。そのために、解体工場の解体処理能力を増加させることが課題となっている。
【先行技術文献】
【特許文献】
【０００８】
【特許文献１】特開２００５−１１６３４６号公報
【発明の概要】
【０００９】
本発明は、前面板および背面板を有するプラズマディスプレイパネルと、プラズマディスプレイパネルの背面板に接着部材を介して接着した金属支持板と、金属支持板に取り付けられプラズマディスプレイパネルを駆動するための回路基板とを有するプラズマディスプレイ装置の解体方法に関する。金属支持板に取り付けた回路基板に送風しながら、プラズマディスプレイパネルを構成する前面板側から赤外線を照射することにより、プラズマディスプレイパネルと金属支持板との間の接着部材を加熱して接着力を低下させ、その後、プラズマディスプレイパネルと金属支持板とを分離する。
【図面の簡単な説明】
【００１０】
【図１】図１は本発明の一実施の形態におけるプラズマディスプレイ装置の分解斜視図である。
【図２】図２は本発明の一実施の形態におけるＰＤＰユニットの断面図である。
【図３】図３は本発明の一実施の形態におけるプラズマディスプレイ装置の解体を説明するフローチャートである。
【図４】図４は本発明の一実施の形態における解体装置の使用状態を示す断面図である。
【発明を実施するための形態】
【００１１】
以下、本発明の一実施の形態について図面を参照しながら説明する。
【００１２】
図１は本発明の一実施の形態におけるプラズマディスプレイ装置の分解斜視図、図２は本発明におけるＰＤＰユニットの断面図である。
【００１３】
図１において、プラズマディスプレイ装置１０は、ＰＤＰ１１と、このＰＤＰ１１が収容される筐体を備えている。筐体は前面枠１２とバックカバー１３を組み合わせて構成されている。前面枠１２とバックカバー１３との間には、金属支持板１４と回路基板１５と接着部材１６が配置されている。金属支持板１４は、アルミニウム等を材料とする金属板により構成されており、放熱板の役割を兼ねている。回路基板１５は、金属支持板１４に取り付けられており、ＰＤＰ１１を駆動させる駆動回路を有する。接着部材１６は、熱伝導性の接着シートであり、ＰＤＰ１１と金属支持板１４との間に配置され、ＰＤＰ１１と金属支持板１４とを接着するとともに、ＰＤＰ１１から発生する熱を金属支持板１４に伝導させている。また、金属支持板１４には、バックカバー１３と対向する取り付け面１７に固定ピンなどの取り付け具１８が設けられている。バックカバー１３や回路基板１５は、この取り付け具１８によって固定されている。このように、プラズマディスプレイ装置１０には、接着部材１６を介して接着されたＰＤＰ１１と金属支持板１４を含むＰＤＰユニット１９が配置されている。
【００１４】
次に、ＰＤＰユニット１９の詳細構造について、図２を用いて説明する。ＰＤＰユニット１９は、接着部材１６を介して接着されたＰＤＰ１１と金属支持板１４を有する。ＰＤＰ１１は、厚みが１．８ｍｍ〜２．８ｍｍのガラスからなる前面板２０と背面板２１とから構成され、その周縁部がフリットガラス等の封着部材２２によって接合されている。接着部材１６は、両面に粘着剤が塗布された熱伝導性の接着シートである。接着部材１６は、背面板２１および金属支持板１４のほぼ全面に配置され、背面板２１と金属支持板１４とが接着されている。接着部材１６は、ＰＤＰ１１の駆動時に発生する熱を金属支持板１４へ伝熱させ、ＰＤＰ１１の駆動時における前面板２０および背面板２１の温度上昇を抑制する。これにより、前面板２０および背面板２１の温度上昇による熱膨張を低減し、ＰＤＰ１１の割れや画質低下を防止できる。
【００１５】
次に、プラズマディスプレイ装置１０の解体方法について、図３、図４を用いて説明する。
【００１６】
図３に示すように、まず、プラズマディスプレイ装置１０から前面枠１２、バックカバー１３を取り外す（Ｓ１）。
【００１７】
次に、ＰＤＰユニット１９について、接着部材１６を赤外線照射により加熱して接着力を低下させ、ＰＤＰ１１と、回路基板１５を取り付けた状態の金属支持板１４とを分離する（Ｓ２）。
【００１８】
次に、ＰＤＰ１１を構成している前面板２０と背面板２１とを分離する（Ｓ３）。分離された前面板２０および背面板２１を構成するガラス基板は、それぞれのガラス基板上に形成されている電極や誘電体などの構成物を除去した後、溶解処理などを経てガラス材料として再利用される。また、金属支持板１４から回路基板１５を取り外す（Ｓ４）。
【００１９】
図４は、ＰＤＰ１１と金属支持板１４とを分離する（Ｓ２）の工程を説明する概略図である。図４に示すように、赤外線放射部３１と、回路基板１５を冷却する冷風を出すファン３２と、排気ダクト３３とを有する解体装置を用いて、ＰＤＰユニット１９を解体する。この解体装置は、ＰＤＰユニット１９に赤外線を照射する赤外線放射部３１と、金属支持板１４に取り付けた回路基板１５に冷却風を送風するファン３２とを有する。ＰＤＰユニット１９は、ＰＤＰ１１の前面板２０側から赤外線が照射されるように設置される。また、ファン３２からの冷却風は、回路基板１５を中心として流れる。これにより、赤外線を照射してＰＤＰユニット１９が加熱された際に、ファン３２からの冷却風は、接着部材１６より放散される粘着剤のにおいとともに、風下側に設置された排気ダクト３３より排気される。また、ＰＤＰ１１またはＰＤＰユニット１９の周囲の換気もされる。
【００２０】
次に、ＰＤＰ１１と金属支持板１４とを分離する解体方法について詳細に説明する。まず、回路基板１５に冷却風が効率よく当たるようにファン３２の向きを調整して冷却風を流し、同時に風下側に設けた排気ダクト３３を動作させる。冷却風および排気ダクト３３の風量は、共に１．０ｍ／秒とした。
【００２１】
冷却風の流れが安定した状態で、赤外線放射部３１のヒーターに通電する。加熱にはピーク波長が１．２μｍ、出力３．５Ｗ／ｃｍ2の赤外線を使用した。
【００２２】
赤外線放射部３１から放射された赤外線は、ＰＤＰ１１を照射する。ＰＤＰ１１の前面板２０は、ガラス基板上に表示電極、誘電体層、保護層等を含む構造であるが、約８５％が透明であるため、照射された赤外線のほとんどは前面板２０を透過する。背面板２１は全面に電極や蛍光体等が塗布されているため、照射された赤外線の内、約３０％は透過するが、残りはすべて背面板２１で吸収される。この吸収によって、背面板２１の温度が急上昇し、同時に背面板２１に密接に接合した接着部材１６も急速に加熱される。この接着部材１６は、赤外線による直接加熱と背面板２１からの熱伝導によって、急速に加熱される。
【００２３】
このように、接着力が低下する温度、例えば約２００℃の温度まで、接着部材１６が急速に加熱された場合、接着部材１６の接着力が低下するので、ＰＤＰ１１と金属支持板１４とを短時間で剥離することができる。
【００２４】
通常、被加熱物に冷却風を流しながら加熱を行うと、加えた熱エネルギーが奪われるために加熱効率が悪化するという問題が発生する。しかし、加熱手段として赤外線を用いることで、加熱対象物を輻射により直接的に加熱できるため、加熱におけるロスをなくすことが可能である。
【００２５】
ここで、本発明による効果を確認するために、ファン３２および排気ダクト３３を作動させた場合と作動させない場合とについて、接着部材１６の加熱中における回路基板１５の到達最高温度と、雰囲気のにおい強度を測定した。におい強度は市販のにおいセンサーを使用した。
【００２６】
その結果、ファン３２および排気ダクト３３を動作させない場合における回路基板１５の到達最高温度は１７０℃、においの最大強度は５２０であったのに対して、本発明によれば、到達温度９０℃、におい最大強度８２であった。また、接着部材１６の温度が２００℃に到達するまでの時間は、ファン３２および排気ダクト３３を動作させない場合は４分、動作させた場合は４．５分であり、ほとんど加熱効率には影響しなかった。
【００２７】
なお、上記実施例では、ピーク波長が１．２μｍの赤外線を使用したが、赤外線による加熱は輻射によるものであるため、ピーク波長によってその効果が限定されることはない。また、ファン３２と排気ダクト３３の風量は、共に１．０ｍ／秒としたが、回路基板１５の温度上昇を抑え、接着部材１６からのにおいを除去できる風量であればよく、この値に限定されるものではない。
【００２８】
以上のように本実施の形態によれば、金属支持板１４に取り付けた回路基板１５に冷却風を送風しながら、ＰＤＰ１１の前面板２０側から赤外線を照射する。これにより、ＰＤＰ１１と金属支持板１４との間の接着部材１６が加熱され、接着部材１６の接着力低下させることができる。よって、ＰＤＰ１１と金属支持板１４を容易にかつ短時間で分離することができる。
【００２９】
また、接着部材１６を接着力が低下する温度まで加熱する際、ファン３２から送風される冷却風によって、金属支持板１４に取り付けられた回路基板１５の温度上昇が抑制されるので、回路基板１５の温度上昇に起因する有害ガスの発生を低減できる。
【００３０】
さらに、排気ダクト３３によって接着部材１６から放散される粘着剤由来のにおいを排気することができるので、作業環境の悪化を抑制し、良好な作業環境を実現することができる。
【００３１】
なお、ファン３２や排気ダクト３３は、本実施の形態に記載した冷却機能や排気機能を有するものであれば、他の構成のものを用いてもよい。
【産業上の利用可能性】
【００３２】
本発明は、使用済みとなったプラズマディスプレイ装置や、製造工程段階において発生した不良品のプラズマディスプレイ装置を効率よく解体する上で有用である。
【符号の説明】
【００３３】
１０  プラズマディスプレイ装置
１１  ＰＤＰ
１２  前面枠
１３  バックカバー
１４  金属支持板
１５  回路基板
１６  接着部材
１９  ＰＤＰユニット
２０  前面板
２１  背面板
２２  封着部材
３１  赤外線放射部
３２  ファン
３３  排気ダクト
【図１】
0005903546.tif 000002
【図２】
0005903546.tif 000003
【図３】
0005903546.tif 000004
【図４】
0005903546.tif 000005